(57)【特許請求の範囲】
【請求項１】
熱源機にて加熱された温水を放熱器に循環させて暖房を行う温水暖房装置に用いられ、熱源機の外装ケースに取り付けられる接続具本体内に互いに平行に形成された上下方向の一対の通路とそれら両通路を連絡する直線状で水平方向のバイパス路が形成され、これら両通路を介して熱源機側の管路と放熱器側の管路とを接続する配管接続具であって、
前記接続具本体には、前記パイパス路に両側から連通し、かつ、そのバイパス路と同一直線上に位置する左右一対の清掃孔を形成し、これら清掃孔にはそれぞれネジが着脱自在に螺着されていること特徴とする温水暖房装置の配管接続具。
【発明の詳細な説明】
【０００１】
【発明の属する技術分野】
本発明は、熱源機にて加熱された温水をファンコイル等の放熱器に循環させて暖房を行う温水暖房装置に使用される配管接続具に関するものである。
【０００２】
【従来の技術】
従来この種の配管接続具としては、放熱器側へ温水を循環させることなく熱源機を試運転できるように、熱源機の外装ケースに取り付けられる接続具本体内に一対の通路とそれら両通路を連絡する直線状のバイパス路が形成され、これら両通路を介して熱源機側の管路と放熱器側の管路とを接続するものが多用されていた。
【０００３】
【発明が解決しようとする課題】
しかしながら、これでは、バイパス路にゴミ（配管時に発生する金属片やゴムホースのカス等）が詰まった場合、このゴミを簡単に取り除くことができないという不都合があった。
【０００４】
本発明は、上記事情に鑑み、針金などを使ってバイパス路のゴミを簡単に取り除くことが可能な温水暖房装置の配管接続具を提供することを目的とするものである。
【０００５】
【課題を解決するための手段】
すなわち本発明は、熱源機にて加熱された温水を放熱器に循環させて暖房を行う温水暖房装置に用いられ、熱源機の外装ケースに取り付けられる接続具本体内に互いに平行に形成された上下方向の一対の通路とそれら両通路を連絡する直線状で水平方向のバイパス路が形成され、これら両通路を介して熱源機側の管路と放熱器側の管路とを接続する配管接続具であって、前記接続具本体には、前記パイパス路に両側から連通し、かつ、そのバイパス路と同一直線上に位置する左右一対の清掃孔を形成し、これら清掃孔にはそれぞれネジが着脱自在に螺着されていること特徴とする。
【０００６】
【発明の実施の形態】
以下、本発明の実施形態を図面に基づいて説明する。
【０００７】
図１は本発明による温水暖房装置の配管接続具の一実施形態を示す斜視図、図２は図１に示す配管接続具の縦断面図、図３は図１に示す配管接続具を装着した温水暖房装置の全体構成図である。
【０００８】
図３において、１は熱源機であり、この熱源機１の外装ケース２内にはバーナ３、このバーナ３によって加熱される熱交換器４、熱交換器４に連結された排気装置５、温水循環ポンプ６および貯水タンク７等が収容されている。８は前記バーナ３にガス燃料を供給するガス供給路であり、このガス供給路８の途中にはガス電磁弁９とガス比例制御弁１０が介装されている。１１は前記貯水タンク７に水道水を補給する給水路であり、この給水路１１は途中には貯水タンク７に設けられた上限用と下限用の２本の水位検知電極１２、１３によって制御される捕給水電磁弁１４が介装され、また、貯水タンク７の上部には下端部を外部に導出したオーバーフロー管１５の上端部を連結している。
【０００９】
１６は前記熱源機１の外部に設置されたファンコイル、パネルラジエータ、床暖房パネル等の放熱器であり、この放熱器１６には、熱交換器４で加熱された温水が、温水循環ポンプ６の駆動により、熱源機側往き管路１７Ａおよび放熱器側往き管路１８Ａを通って循環供給され、この放熱器１６で室内空気と熱交換した後の温水は、放熱機側戻り管路１８Ｂおよび熱源機側戻り管路１７Ｂを通って貯水タンク７へ戻される。
【００１０】
次に、本発明による配管接続具イについて詳述する。１９は、熱源機側往き管路１７Ａに放熱器側往き管路１８Ａを、また、放熱器側戻り管路１８Ｂに熱源機側戻り管路１７Ｂをそれぞれ接続するための接続具本体であり、図１および図２に示すように、前記外装ケース２の底壁２Ａに固定ボルト２０、２０および固定金具２６、２６によって取り付けられる。そして、この接続具本体１９は、所定間隔を存して上方に突出した一対の内側接続部１９Ａ、１９Ｂと、これら内側接続部１９Ａ、１９Ｂにそれぞれ対応して下方に突出した外側接続部１９Ｃ、１９Ｄと、前記内側接続部１９Ａ、１９Ｂ間に設けられたバイパス管１９Ｅとから構成されている。
【００１１】
また、接続具本体１９内には、図２に示すように、内側接続部１９Ａと外側接続部１９Ｃの中心を通る往き側通路２１と、内側接続部１９Ｂと外側接続部１９Ｄの中心を通る戻り側通路２２とが、それぞれ上下方向となされて互いに平行に形成されるとともに、両通路２１、２２を連通する直線状で水平方向のバイパス路２３がバイパス管１９Ｅ内に形成されており、さらに、両通路２１、２２の中間位置には、バイパス路２３に連通して下向きに開口する水抜き口２４が形成され、この水抜き口２４には、水抜き口２４を開閉する水抜き栓２５を螺合により設けている。この水抜き栓２５は外装ケース２の外部より回動操作することによって水抜き口２４を開閉でき、抜き取る必要がないものである。
【００１２】
そして、前記内側接続部１９Ａ、１９Ｂには、熱源機側往き管路１７Ａと熱源機側戻り管路１７Ｂをそれぞれ接続し、また、外側接続部１９Ｃ、１９Ｄには、外装ケース２の外部から放熱器側往き管路１８Ａと放熱器側戻り管路１８Ｂをそれぞれ接続することにより、熱源機側往き管路１７Ａは、往き側通路２１を介して放熱器側往き管路１８Ａに連通し、一方、放熱器側戻り管路１８Ｂは、戻り側通路２２を介して熱源機側戻り管路１７Ｂに連通する。
【００１３】
ところで、接続具本体１９には一対の清掃孔３０、３０が形成されており、これら清掃孔３０、３０は、図２に示すように、前記バイパス路２３の両側にそれぞれ連通し、かつ、そのバイパス路２３と同一直線上に位置している。そして、各清掃孔３０にはそれぞれ、Ｏリング３１が嵌着されたネジ３２が着脱自在に螺合している。
【００１４】
従って、バイパス路２３にゴミが詰まった場合には、ネジ３２を清掃孔３０から取り外し、針金などを清掃孔３０およびバイパス管１９Ｅ内のバイパス路２３に挿通することにより、この配管接続具イに配管を接続したままで、また、配管接続具イを熱源機１の外装ケース２から外すことなく、バイパス路２３のゴミを押し出して簡単に取り除くことができる。なお、通常時（清掃時以外の運転時など）は、Ｏリング３１とネジ３２によって清掃孔３０が閉塞されているので、清掃孔３０から漏水する恐れはない。
【００１５】
なお、上述の実施形態の熱源機１は暖房専用であるが、暖房機能と給湯機能を持つもの、或いは暖房機能と給湯機能の他に風呂釜機能を持つものであってもよく、また、熱源機１のバーナ３は石油バーナであってもよい。
【００１６】
【発明の効果】
以上説明したように本発明によれば、熱源機にて加熱された温水を放熱器に循環させて暖房を行う温水暖房装置に用いられ、熱源機の外装ケースに取り付けられる接続具本体内に互いに平行に形成された上下方向の一対の通路とそれら両通路を連絡する直線状で水平方向のバイパス路が形成され、これら両通路を介して熱源機側の管路と放熱器側の管路とを接続する配管接続具であって、前記接続具本体には、前記パイパス路に両側から連通し、かつ、そのバイパス路と同一直線上に位置する左右一対の清掃孔を形成し、これら清掃孔にはそれぞれネジが着脱自在に螺着されている構成であるから、バイパス路にゴミが詰まった場合には、ネジを清掃孔から取り外した状態で、針金などを清掃孔およびバイパス路に挿通することにより、配管接続具に配管を接続したままで、また、配管接続具を熱源機の外装ケースから外すことなく、バイパス路のゴミを簡単に取り除くことが可能となる。
【図面の簡単な説明】
【図１】  本発明による温水暖房装置の配管接続具の一実施形態を示す斜視図である。
【図２】  図１に示す配管接続具の縦断面図である。
【図３】  図１に示す配管接続具を装着した温水暖房装置の全体構成図である。
【符号の説明】
１……熱源機
２……外装ケース
１６……放熱器
１７Ａ……熱源機側の管路（熱源機側往き管路）
１７Ｂ……熱源機側の管路（熱源機側戻り管路）
１８Ａ……放熱器側の管路（放熱器側往き管路）
１８Ｂ……放熱器側の管路（放熱器側戻り管路）
１９……接続具本体
２１……通路（往き側通路）
２２……通路（戻り側通路）
２３……バイパス路
３０……清掃孔
３２……ネジ
【図１】
0003710891.tif 000002
【図２】
0003710891.tif 000003
【図３】
0003710891.tif 000004